【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
２つの異なるネットワーク間でモバイル・クライアントを移行させる方法であって、
第１の無線伝送モジュールおよび第２の無線伝送モジュールを含む前記モバイル・クライアントを第１のネットワークにおいて確立するステップと、
前記モバイル・クライアントが第２のネットワークの捕捉区域に入ったことを検証するステップと、
前記第１のネットワークから前記第２のネットワークに前記モバイル・クライアントを移行させるステップであって、
前記第１のネットワークに関連する前記モバイル・クライアント内部の前記第１の無線伝送モジュールからの伝送を止めるステップと、
前記第２のネットワークに関連する前記モバイル・クライアント内部の前記第２の無線伝送モジュールからの伝送を開始するステップと、
前記モバイル・クライアントを前記第２のネットワークに接続するステップとを含む前記モバイル・クライアントを移行させるステップとを含む方法。
【請求項２】
前記第１の無線伝送モジュールが、前記第２の無線伝送モジュールによって使用される形式とは異なる形式で伝送を行う請求項１に記載の２つの異なるネットワーク間でモバイル・クライアントを移行させる方法。
【請求項３】
前記第１のネットワークが、ワイド・エリア・ネットワーク（ＷＡＮ）である請求項１に記載の２つの異なるネットワーク間でモバイル・クライアントを移行させる方法。
【請求項４】
前記第２のネットワークが、無線ローカル・エリア・ネットワーク（ＷＬＡＮ）である請求項１に記載の２つの異なるネットワーク間でモバイル・クライアントを移行させる方法。
【請求項５】
前記第２のネットワークにアクセスするために前記モバイル・クライアントを認証するステップをさらに含む請求項１に記載の２つの異なるネットワーク間でモバイル・クライアントを移行させる方法。
【請求項６】
前記検証するステップが、
前記モバイル・クライアントの位置を特定するステップと、
前記モバイル・クライアントの前記特定された位置が前記第２のネットワークの前記捕捉区域に入っているかどうかを判定するステップとを含む請求項５に記載の２つの異なるネットワーク間でモバイル・クライアントを移行させる方法。
【請求項７】
前記モバイル・クライアントの前記位置が、前記モバイル・クライアント内部のナビゲーション・システムによって特定される請求項６に記載の２つの異なるネットワーク間でモバイル・クライアントを移行させる方法。
【請求項８】
前記ナビゲーション・システムが、静止衛星を使用する請求項７に記載の方法。
【請求項９】
前記ナビゲーション・システムが、地球投影位置決定衛星（ＧＰＳ）システムである請求項７に記載の２つの異なるネットワーク間でモバイル・クライアントを移行させる方法。
【請求項１０】
前記移行が、前記モバイル・クライアントのユーザによって手動で開始される請求項１に記載の２つの異なるネットワーク間でモバイル・クライアントを移行させる方法。
【請求項１１】
前記移行させるステップが、プライバシー遵守およびプライバシー認証を含む無線サービスの選択の自動化され、個人設定され、最適化されたプロセスを介してデータ・ソースにアクセスするユーザ同意に導き、前記自動化されたプロセスが、前記ユーザに関する相対情報および絶対情報を提供して、前記ユーザが、より良好な無線サービス提供が行われるように自らの位置を変更することを選択することが可能にされる請求項１０に記載の２つの異なるネットワーク間でモバイル・クライアントを移行させる方法。
【請求項１２】
前記第１のネットワークが、セルラー電話網であり、前記第２のネットワークが、８０２．１１標準に準拠する請求項１に記載の２つの異なるネットワーク間でモバイル・クライアントを移行させる方法。
【請求項１３】
２つの異なるネットワーク間でモバイル・クライアントを移行させるための装置であって、
第１の無線伝送モジュールおよび第２の無線伝送モジュールを含む前記モバイル・クライアントを第１のネットワークにおいて確立するための手段と、
前記モバイル・クライアントが第２のネットワークの捕捉区域に入ったことを検証するための手段と、
前記第１のネットワークから前記第２のネットワークに前記モバイル・クライアントを移行させるための手段であって、
前記第１のネットワークに関連する前記モバイル・クライアント内部の前記第１の無線伝送モジュールからの伝送を止めるための手段と、
前記第２のネットワークに関連する前記モバイル・クライアント内部の前記第２の無線伝送モジュールからの伝送を開始するための手段と、
前記モバイル・クライアントを前記第２のネットワークに接続するための手段とを含む前記モバイル・クライアントを移行させるための手段とを含む装置。
【請求項１４】
前記第１の無線伝送モジュールが、前記第２の無線伝送モジュールによって使用される形式とは異なる形式で伝送を行う請求項１３に記載の２つの異なるネットワーク間でモバイル・クライアントを移行させるための装置。
【請求項１５】
前記第１のネットワークが、ワイド・エリア・ネットワーク（ＷＡＮ）である請求項１３に記載の２つの異なるネットワーク間でモバイル・クライアントを移行させるための装置。
【請求項１６】
前記第２のネットワークが、無線ローカル・エリア・ネットワーク（ＷＬＡＮ）である請求項１３に記載の２つの異なるネットワーク間でモバイル・クライアントを移行させるための装置。
【請求項１７】
前記第２のネットワークにアクセスするために前記モバイル・クライアントを認証するための手段をさらに含む請求項１３に記載の２つの異なるネットワーク間でモバイル・クライアントを移行させるための装置。
【請求項１８】
前記検証するための手段が、
前記モバイル・クライアントの位置を特定するための手段と、
前記モバイル・クライアントの前記特定された位置が前記第２のネットワークの前記捕捉区域に入っているかどうかを判定するための手段とを含む請求項１７に記載の２つの異なるネットワーク間でモバイル・クライアントを移行させるための装置。
【請求項１９】
前記モバイル・クライアントの前記位置を前記特定するための手段が、前記モバイル・クライアント内部のナビゲーション・システムを含む請求項１６に記載の２つの異なるネットワーク間でモバイル・クライアントを移行させるための装置。
【請求項２０】
前記ナビゲーション・システムが、静止衛星を使用する請求項１９に記載の２つの異なるネットワーク間でモバイル・クライアントを移行させるための装置。
【請求項２１】
前記ナビゲーション・システムが、地球投影位置決定衛星（ＧＰＳ）システム・モジュールを含む請求項１９に記載の２つの異なるネットワーク間でモバイル・クライアントを移行させるための装置。
【請求項２２】
前記移行させるための手段が、前記モバイル・クライアントのユーザによって手動で開始される請求項１３に記載の２つの異なるネットワーク間でモバイル・クライアントを移行させるための装置。
【請求項２３】
前記移行させるための手段が、プライバシー遵守およびプライバシー認証を含む無線サービスの選択の自動化され、個人設定され、最適化されたプロセスを介してデータ・ソースにアクセスするユーザ同意に導き、前記自動化されたプロセスが、前記ユーザに関する相対情報および絶対情報を提供して、前記ユーザが、より良好な無線サービス提供が行われるように自らの位置を変更することを選択することが可能にされる請求項２２に記載の２つの異なるネットワーク間でモバイル・クライアントを移行させるための装置。
【請求項２４】
前記第１のネットワークが、セルラー電話網であり、前記第２のネットワークが、８０２．１１標準に準拠する請求項１３に記載の２つの異なるネットワーク間でモバイル・クライアントを移行させるための装置。